(57)【要約】【課題】省電力化を自動的にかつ効果的に実施することが可能な無線ＬＡＮアクセスポイントを提供する。【解決手段】学習対象としてあらかじめ登録している無線端末装置それぞれの端末動作情報を端末動作情報収集部１３により収集した結果から、端末動作学習部１２において、無線端末装置それぞれの端末動作に関する学習結果を取得し、取得した該学習結果が、無線通信をＯＦＦ（無効）状態に設定する条件としてあらかじめ無線通信ＯＦＦ制御条件テーブル２１に設定している無線通信ＯＦＦ制御条件を満たしているか否かを判定して、該無線通信ＯＦＦ制御条件を満たしている無線端末装置が存在していた場合、該当する当該無線端末装置との間の無線通信をＯＦＦ（無効）状態に設定する。而して、学習対象の無線端末装置それぞれのユーザの生活スタイルを考慮した形で、無線ＬＡＮアクセスポイント１００の省力化を自動的にかつ効果的に実現することができる。【選択図】図２
2020136846.tif 000002
【特許請求の範囲】
【請求項１】
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする無線ＬＡＮアクセスポイント。
【請求項２】
前記学習結果をリセットする専用ボタンを搭載または画面表示し、
前記学習結果に基づいて該当する前記無線端末装置との間の無線通信をＯＦＦ（無効）状態に設定した状態において、前記専用ボタンを押下操作した際に、
該当する当該無線端末装置に関する前記学習結果をリセットして、当該無線端末装置との間の無線通信をＯＮ状態に切り替えるとともに、当該無線端末装置の端末動作情報を収集する動作を再開する、
ことを特徴とする請求項１に記載の無線ＬＡＮアクセスポイント。
【請求項３】
前記無線通信ＯＦＦ制御条件として、前記無線端末装置の無線通信をＯＦＦ（無効）状態に強制的に設定することが可能であると判定するための非帰属継続時間の割合の下限値を示す端末非帰属時間比率閾値を設定している場合には、
前記端末動作情報のうち、前記学習結果として、無線通信をＯＮ（有効）状態またはＯＦＦ（無効）状態に設定する時間帯としてあらかじめ定めた切替時間帯に対して、非帰属状態が継続している時間の割合が、前記端末非帰属時間比率閾値以上の時間比率になっている前記無線端末装置を検出した場合、該当する当該無線端末装置を、前記切替時間帯の間、非帰属時間帯として、無線通信をＯＦＦ（無効）状態に設定する、
ことを特徴とする請求項１または２に記載の無線ＬＡＮアクセスポイント。
【請求項４】
前記無線通信ＯＦＦ制御条件として、学習対象とする前記端末動作情報の日数を示す学習対象レコード期間をさらに設定している場合には、
前記端末動作情報のうち、前記学習結果として、前記学習対象レコード期間が示す日数の間連続して、非帰属状態が継続している時間の前記切替時間帯に対する割合が、前記端末非帰属時間比率閾値以上の時間比率になっている前記無線端末装置を検出した場合、該当する当該無線端末装置を、前記切替時間帯の間、前記非帰属時間帯として、無線通信をＯＦＦ（無効）状態に設定する、
ことを特徴とする請求項３に記載の無線ＬＡＮアクセスポイント。
【請求項５】
無線ＬＡＮアクセスポイントの省電力化を行う無線ＬＡＮアクセスポイント省電力方法であって
前記無線ＬＡＮアクセスポイントは、
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする無線ＬＡＮアクセスポイント省電力方法。
【請求項６】
前記学習結果に基づいて該当する前記無線端末装置との間の無線通信をＯＦＦ（無効）状態に設定した状態において、前記学習結果をリセットするボタンとして前記無線ＬＡＮアクセスポイントに搭載または画面表示されている専用ボタンを押下操作した際に、
該当する前記無線端末装置に関する前記学習結果をリセットして、当該無線端末装置との間の無線通信をＯＮ状態に切り替えるとともに、当該無線端末装置の端末動作情報を収集する動作を再開する、
ことを特徴とする請求項５に記載の無線ＬＡＮアクセスポイント省電力方法。
【請求項７】
前記無線通信ＯＦＦ制御条件として、前記無線端末装置の無線通信をＯＦＦ（無効）状態に強制的に設定することが可能であると判定するための非帰属継続時間の割合の下限値を示す端末非帰属時間比率閾値を設定している場合には、
前記端末動作情報のうち、前記学習結果として、無線通信をＯＮ（有効）状態またはＯＦＦ（無効）状態に設定する時間帯としてあらかじめ定めた切替時間帯に対して、非帰属状態が継続している時間の割合が、前記端末非帰属時間比率閾値以上の時間比率になっている前記無線端末装置を検出した場合、該当する当該無線端末装置を、前記切替時間帯の間、非帰属時間帯として、無線通信をＯＦＦ（無効）状態に設定する、
ことを特徴とする請求項５または６に記載の無線ＬＡＮアクセスポイント省電力方法。
【請求項８】
前記無線通信ＯＦＦ制御条件として、学習対象とする前記端末動作情報の日数を示す学習対象レコード期間をさらに設定している場合には、
前記端末動作情報のうち、前記学習結果として、前記学習対象レコード期間が示す日数の間連続して、非帰属状態が継続している時間の前記切替時間帯に対する割合が、前記端末非帰属時間比率閾値以上の時間比率になっている前記無線端末装置を検出した場合、該当する当該無線端末装置を、前記切替時間帯の間、前記非帰属時間帯として、無線通信をＯＦＦ（無効）状態に設定する、
ことを特徴とする請求項７に記載の無線ＬＡＮアクセスポイント省電力方法。
【請求項９】
無線ＬＡＮアクセスポイントの省電力化処理をコンピュータにより実行する無線ＬＡＮアクセスポイント省電力プログラムであって
前記無線ＬＡＮアクセスポイントにおいて、
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする無線ＬＡＮアクセスポイント省電力プログラム。
【請求項１０】
前記学習結果に基づいて該当する前記無線端末装置との間の無線通信をＯＦＦ（無効）状態に設定した状態において、前記学習結果をリセットするボタンとして前記無線ＬＡＮアクセスポイントに搭載または画面表示されている専用ボタンを押下操作した際に、
該当する前記無線端末装置に関する前記学習結果をリセットして、当該無線端末装置との間の無線通信をＯＮ状態に切り替えるとともに、当該無線端末装置の端末動作情報を収集する動作を再開する、
ことを特徴とする請求項９に記載の無線ＬＡＮアクセスポイント省電力プログラム。
【発明の詳細な説明】
【技術分野】
【０００１】
本発明は、無線ＬＡＮアクセスポイント、無線ＬＡＮアクセスポイント省電力方法および無線ＬＡＮアクセスポイント省電力プログラムに関し、特に、無線端末装置の帰属状況の学習結果に基づき無線通信を制御して省力化を図る無線ＬＡＮアクセスポイント、無線ＬＡＮアクセスポイント省電力方法および無線ＬＡＮアクセスポイント省電力プログラムに関する。
【背景技術】
【０００２】
無線信号の送受信を恒常的に継続する無線ＬＡＮ(Local Area Network)アクセスポイント(ＡＰ：Access  Point)においては、無線信号の送受信による消費電力を如何にして低く抑えるかということが重要な課題である。かかる課題に対処するために、例えば、無線ＬＡＮアクセスポイントに帰属する無線端末装置との間の無線通信の有無を判断することによって、無線通信をスリープ状態に遷移させたり、あるいは、無線通信を動作させる無線アンテナの数を制御したりすることによって、無線ＬＡＮアクセスポイントの省電力化を行う仕組みが、多数、提案されている。
【０００３】
例えば、特許文献１の特開２０１３−１７９３８２号公報「無線基地局装置、無線端末装置および通信制御プログラム」においては、建物内に設置され、無線端末装置との間で無線信号を送受信するための無線基地局装置の場合に関して、無線端末装置の使用者が前記建物内に居るか否かの判断結果を示す存在判断情報を取得するための存在判断情報取得部と、該存在判断情報に基づき、無線基地局装置に省電力動作を実行させるための省電力制御部と、を備えることにより、使用電力を抑制することができるという仕組みを提案している。
【先行技術文献】
【特許文献】
【０００４】
【特許文献１】特開２０１３−１７９３８２号公報
【発明の概要】
【発明が解決しようとする課題】
【０００５】
しかしながら、本発明に関連する前記特許文献１等に記載された現状の技術においては、実際のユーザの利用シーンに対応したものではないか、あるいは、ユーザの利用シーンに応じて無線を無効化する時間帯を設定する場合であっても、手動で設定することが必要であり、有効な効果を期待することができない。
【０００６】
例えば、前記特許文献１においても、無線基地局装置は、無線端末装置の使用者が建物内に居ることを正確に検出することが可能な位置情報手段を備えていることを必要とし、かつ、たとえ建物内に居ることを正確に検出した場合であっても、ユーザが無線端末装置を実際に使用しようとする時間帯であるか否かを判断することなく、所定の時間帯あるいは使用する可能性が高いと想定される時間帯に一方的に省電力動作を実行させてしまう。したがって、ユーザの利便性を損なうことなく、効果的な省力化を期待することが困難である。さらには、一旦、無線通信を無効にした後に、無線通信を有効化する契機に関しても、単にランダムなタイミングで一時的に有効にするだけであり、実用的な技術として適用することは極めて困難である。
【０００７】
（本開発の目的）
本開発の目的は、かかる事情に鑑み、省電力化を自動的にかつ効果的に実施することが可能な無線ＬＡＮアクセスポイント、無線ＬＡＮアクセスポイント省電力方法および無線ＬＡＮアクセスポイント省電力プログラムの提供にある。
【課題を解決するための手段】
【０００８】
前述の課題を解決するため、本発明による無線ＬＡＮアクセスポイント、無線ＬＡＮアクセスポイント省電力方法および無線ＬＡＮアクセスポイント省電力プログラムは、主に、次のような特徴的な構成を採用している。
【０００９】
（１）本発明による無線ＬＡＮアクセスポイントは、
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする。
【００１０】
（２）本発明による無線ＬＡＮアクセスポイント省電力方法は、
無線ＬＡＮアクセスポイントの省電力化を行う無線ＬＡＮアクセスポイント省電力方法であって
前記無線ＬＡＮアクセスポイントは、
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする。
【００１１】
（３）本発明による無線ＬＡＮアクセスポイント省電力プログラムは、
無線ＬＡＮアクセスポイントの省電力化処理をコンピュータにより実行する無線ＬＡＮアクセスポイント省電力プログラムであって
前記無線ＬＡＮアクセスポイントにおいて、
学習対象の無線端末装置としてあらかじめ登録している無線端末装置それぞれの端末動作情報を収集した結果から該無線端末装置それぞれの端末動作に関する学習結果を取得し、
取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置が存在していた場合、
該当する当該無線端末装置との間の無線通信をＯＦＦ（無効）状態に設定する、
ことを特徴とする。
【発明の効果】
【００１２】
本発明の無線ＬＡＮアクセスポイン、無線ＬＡＮアクセスポイント省電力方法および無線ＬＡＮアクセスポイント省電力プログラムによれば、主に、以下のような効果を奏することができる。
【００１３】
本発明においては、無線ＬＡＮアクセスポイントにおいて、学習対象としてあらかじめ登録している無線端末装置それぞれの端末動作状況を収集した結果から該無線端末装置それぞれの端末動作に関する学習結果を取得し、取得した該学習結果に基づいて、該無線端末装置それぞれとの間の無線通信をＯＦＦ（無効）状態に設定するように制御している。而して、次のような効果を奏することができる。
【００１４】
学習対象の無線端末装置それぞれの端末動作に関する学習結果に基づいて、無線ＬＡＮアクセスポイントの省力化を、自動的にかつ効果的に実施することができるという効果を奏することができる。つまり、学習対象の無線端末装置それぞれのユーザの生活スタイルを考慮した形で、無線ＬＡＮアクセスポイントの省力化を自動的にかつ効果的に実現することができる。
【図面の簡単な説明】
【００１５】
【図１】本発明に係る無線ＬＡＮアクセスポイントと該無線ＬＡＮアクセスポイントに無線子機端末として帰属する無線端末装置との機能概要の一例を説明するための概念図である。
【図２】本発明の一実施形態として図１に示した無線ＬＡＮアクセスポイントの内部構成の一例を示すブロック構成図である。
【図３】図２に示した無線ＬＡＮアクセスポイントのメモリ内に設定されている無線通信ＯＦＦ制御条件テーブル、端末動作情報学習条件テーブル、学習対象端末リストおよび学習対象端末動作情報格納テーブルそれぞれのテーブル構成の一例を示すテーブルである。
【図４】図１〜図３に示した無線ＬＡＮアクセスポイントにおいて無線端末装置に関する端末動作情報を収集する動作の一例を説明するためのシーケンスチャートである。
【図５】図１〜図３に示した無線ＬＡＮアクセスポイントにおいて学習対象の無線端末装置の動作に関する学習結果を導出する動作の一例を説明するためのシーケンスチャートである。
【図６】図１〜図３に示した無線ＬＡＮアクセスポイントにおいて学習対象の無線端末装置との間の無線通信のＯＮ／ＯＦＦ（有効／無効）を制御する動作の一例を説明するためのシーケンスチャートである。
【図７】本発明に係る無線ＬＡＮアクセスポイントと該無線ＬＡＮアクセスポイントに無線子機端末として帰属する無線端末装置との機能概要の図１とは異なる例を説明するための概念図である。
【図８】本発明の他の実施形態として図７に示した無線ＬＡＮアクセスポイントの内部構成の一例を示すブロック構成図である。
【図９】図７、図８に示した無線ＬＡＮアクセスポイントにおいて学習対象の無線端末装置の無線通信をＯＦＦ（無効）状態からＯＮ（有効）状態に復帰させる動作の一例を説明するためのシーケンスチャートである。
【発明を実施するための形態】
【００１６】
以下、本発明による無線ＬＡＮアクセスポイント、無線ＬＡＮアクセスポイント省電力方法および無線ＬＡＮアクセスポイント省電力プログラムの好適な実施形態について添付図を参照して説明する。なお、以下の説明においては、本発明による無線ＬＡＮアクセスポイントおよび無線ＬＡＮアクセスポイント省電力方法について説明するが、かかる無線ＬＡＮアクセスポイント省電力方法をコンピュータにより実行可能な無線ＬＡＮアクセスポイント省電力プログラムとして実施するようにしても良いし、あるいは、無線ＬＡＮアクセスポイント省電力プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１７】
（本発明の特徴）
本発明の実施形態の説明に先立って、本発明の特徴についてその概要をまず説明する。本発明は、無線ＬＡＮアクセスポイントが、無線端末装置の帰属状況を学習して、学習結果があらかじめ決めた無線通信ＯＦＦ制御条件を満たした無線端末装置が存在する場合には、該無線端末装置との間の無線通信を自動的にＯＦＦ（無効）状態に設定することを主要な特徴としている。而して、無線ＬＡＮアクセスポイントにおける省電力を自動的にかつ効果的に実現することができるという効果が得られる。
【００１８】
つまり、無線ＬＡＮアクセスポイントにおいて、学習対象としてあらかじめ登録している無線端末装置の端末動作状況を収集した結果から該無線端末装置の端末動作に関する学習結果を取得し、取得した該学習結果が、該無線端末装置との間の無線通信をＯＦＦ（無効）状態に設定する条件としてあらかじめ設定している無線通信ＯＦＦ制御条件を満たしている無線端末装置が存在するか否かを判定する。判定結果として、該当する無線端末装置が存在していた場合には、当該無線端末装置に関して、非帰属状態に強制的に設定して、無線通信をＯＦＦ（無効）の状態に設定するように制御することを主要な特徴としている。
【００１９】
ここで、前記無線通信ＯＦＦ制御条件として、例えば、あらかじめ設定した日数分連続して、帰属していない状態が継続する時間の割合があらかじめ設定した時間比率閾値以上の割合になっている時間帯が存在しているという条件を用いるようにしても良い。つまり、該無線通信ＯＦＦ制御条件を満たしている時間帯においては、該当する無線端末装置のユーザが定常的には使用していない可能性が十分に高い時間帯であることを学習した結果として取得していると見做しても良い。
【００２０】
したがって、かかる時間帯を非帰属時間帯として確定して、該非帰属時間帯の間は、当該無線端末装置とは無線信号の送受信を行わない状態に移行しても、当該無線端末装置のユーザの利便性を損なうことは極めて少ないものと想定しても良い。而して、前記非帰属時間帯の間、当該無線端末装置との間の無線通信をＯＦＦ（無効）状態に設定することにより、当該無線端末装置のユーザの生活スタイルを乱すことなく、当該無線ＬＡＮアクセスポイントにおける電力消費を抑制することができる。
【００２１】
さらには、学習結果から無線通信がＯＦＦ（無効）状態になっている場合であっても、無線端ＬＡＮアクセスポイントのオペレータが無線ＬＡＮアクセスポイントに搭載している専用ボタンのボタン操作を行うことにより、該学習結果をリセットして、無線通信をＯＦＦ（無効）状態からＯＮ（有効）な状態に切り替えて、再学習を行う状態に復帰させることを可能にしていることも、主要な特徴の一つとしている。
【００２２】
（本発明の実施形態の構成例）
次に、本発明に係る無線ＬＡＮアクセスポイントの構成例について、図面を参照しながら詳細に説明する。図１は、本発明に係る無線ＬＡＮアクセスポイントと該無線ＬＡＮアクセスポイントに無線子機端末として帰属する無線端末装置との機能概要の一例を説明するための概念図である。
【００２３】
図１に示すように、本発明の一実施形態を示す無線ＬＡＮアクセスポイント１００は、無線通信が可能な領域内に存在する無線端末装置２００との間で無線通信を行う無線通信機能１０１を有し、かつ、学習対象とする無線端末装置２００の帰属状況を学習して、学習結果をトリガーにして、該無線端末装置２００との無線通信のＯＮ／ＯＦＦ（有効／無効）を制御する無線通信制御機能１０２を有している。
【００２４】
一方、無線端末装置２００は、該無線ＬＡＮアクセスポイント１００に無線子機端末として帰属する帰属機能２０１と、帰属した無線ＬＡＮアクセスポイント１００との間で無線通信を行う無線通信機能２０２とを有している。なお、図１には、無線端末装置２００を１台のみ記載しているが、本発明においては、１ないし複数台の無線端末装置２００から構成されていることを想定している。
【００２５】
次に、図２は、本発明の一実施形態として図１に示した無線ＬＡＮアクセスポイント１００の内部構成の一例を示すブロック構成図であり、本発明に関連する主要部の一例を示している。図２に示すように、無線ＬＡＮアクセスポイント１００の本発明に関連する主要部は、制御部１０として、無線通信部１１、端末動作学習部１２、端末動作情報収集部１３を少なくとも含んで構成され、また、メモリ２０内には、無線通信ＯＦＦ制御条件テーブル２１、端末動作情報学習条件テーブル２２、学習対象端末リスト２３、学習対象端末動作情報格納テーブル２４のそれぞれの領域を少なくとも有している。
【００２６】
無線通信部１１は、図１に示した無線通信機能１０１と一部の無線通信制御機能１０２とを有している。すなわち、まず、無線通信が可能な領域内に存在する無線端末装置２００との間で無線通信を行う機能を有する。
【００２７】
また、メモリ２０内の学習対象端末リスト２３に学習対象としてあらかじめ登録されている無線端末装置２００に関しては、無線通信部１１は、メモリ２０内の端末動作情報学習条件テーブル２２に学習項目として登録されている項目に関する情報、すなわち、後述の図３の登録例においては、無線ＬＡＮアクセスポイント１００に帰属した帰属時刻および無線ＬＡＮアクセスポイント１００との間の無線通信を切断した切断時刻に関する情報を、端末動作情報として収集して登録することを端末動作情報収集部１３に対して依頼する機能を有している。
【００２８】
さらに、学習対象としてあらかじめ登録されている無線端末装置２００の場合、無線通信部１１は、一部の無線通信制御機能１０２として、端末動作情報収集部１３により収集した端末動作情報に基づいて端末動作学習部１２において作成した学習結果をトリガーにして、該無線端末装置２００との無線通信を制御する機能を有している。すなわち、メモリ２０内の学習対象端末リスト２３に学習対象として登録されている無線端末装置２００に関しては、メモリ２０内の無線通信ＯＦＦ制御条件テーブル２１に無線通信ＯＦＦ制御条件として登録されている条件を満たしているか否かという端末動作学習部１２の判定結果に基づいて、該無線端末装置２００との無線通信のＯＮ／ＯＦＦ（有効／無効）を制御する機能を有している。
【００２９】
端末動作学習部１２は、学習対象の無線端末装置２００の動作状況を学習するための学習条件を、メモリ２０内の端末動作情報学習条件テーブル２２にあらかじめ設定登録する機能を有している。さらに、端末動作学習部１２は、端末動作情報学習条件テーブル２２の登録内容に従って学習対象とする情報をメモリ２０内の学習対象端末動作情報格納テーブル２４に格納されている端末動作情報の中から抽出する機能を有している。
【００３０】
そして、端末動作学習部１２は、抽出した学習対象端末動作情報格納テーブル２４の端末動作情報と無線通信ＯＦＦ制御条件テーブル２１に設定登録されている条件（無線通信ＯＦＦ制御条件）とに基づいて、学習対象の無線端末装置２００それぞれに関して学習した結果として、無線通信をＯＮ（有効）状態に設定するか、または、ＯＦＦ（無効）状態に設定するか、ということを確定するための機能を有している。
【００３１】
また、端末動作情報収集部１３は、メモリ２０内の学習対象端末リスト２３に学習対象の無線端末装置としてあらかじめ設定登録されている無線端末装置２００に関して、各無線端末装置２００の動作状況を示す端末動作情報（例えば、無線ＬＡＮアクセスポイント１００に帰属した時刻を示す帰属時刻、無線ＬＡＮアクセスポイント１００との無線通信を切断した時刻を示す切断時刻）を収集して、メモリ２０内の学習対象端末動作情報格納テーブル２４に順次格納する機能を有している。
【００３２】
以上のような制御部１０の構成により、学習対象としてあらかじめ登録している無線端末装置２００それぞれの端末動作情報を収集した結果から無線端末装置２００それぞれの端末動作に関する学習結果を取得し、取得した該学習結果が、無線通信をＯＦＦ（無効）状態に設定する条件としてあらかじめ設定している無線通信ＯＦＦ制御条件を満たしているか否かを判定して、該無線通信ＯＦＦ制御条件を満たしている無線端末装置２００が存在していた場合、該当する当該無線端末装置との間の無線通信をＯＦＦ（無効）状態に設定するように制御することができる。
【００３３】
図３は、図２に示した無線ＬＡＮアクセスポイント１００のメモリ２０内に設定されている無線通信ＯＦＦ制御条件テーブル２１、端末動作情報学習条件テーブル２２、学習対象端末リスト２３および学習対象端末動作情報格納テーブル２４それぞれのテーブル構成の一例を示すテーブルである。
【００３４】
無線通信ＯＦＦ制御条件テーブル２１は、前述したように、学習対象の無線端末装置２００との無線通信をＯＦＦ（無効）状態に設定する条件すなわち無線通信ＯＦＦ制御条件をあらかじめ設定登録するテーブルであり、図３（Ａ）に示すように、項目欄２１ａと条件欄２１ｂとからなり、項目欄２１ａには、端末非帰属時間比率閾値と学習対象レコード期間とがあらかじめ設定登録されている例を示している。
【００３５】
ここで、学習対象レコード期間は、前述の端末非帰属時間比率閾値に指定された条件に基づく判定を行う際に、学習対象端末動作情報格納テーブル２４から学習対象の無線端末装置２００に関する端末動作情報を抽出する期間（レコード期間）を指定するものである。例えば、条件欄２１ｂに示す記載例においては、学習対象レコード期間に関し、学習対象の無線端末装置２００の端末動作情報として収集してメモリ２０内の学習対象端末動作情報格納テーブル２４に格納している端末動作情報のうち、本日から「過去○日分」を抽出することを指定している場合を示している。すなわち、学習対象レコード期間は、学習対象とする端末動作情報の期間（レコード期間）の長さ（例えば、日数）を指定する。
【００３６】
また、前述の端末非帰属時間比率閾値は、学習対象の無線端末装置２００の無線通信をＯＦＦ（無効）に強制的に設定することが可能であると判定するための非帰属継続時間（継続して帰属していない時間）の割合の下限値を示す閾値である。言い換えると、端末非帰属時間比率閾値は、学習対象の無線端末装置２００との無線通信をＯＦＦ(無効)状態に強制的に設定するか否かすなわち学習対象の無線端末装置２００を当該無線ＬＡＮアクセスポイント１００に帰属しない状態に強制的に設定するか否かを判定するための時間比率閾値である。条件欄２１ｂに示す記載例においては、学習結果に基づき無線通信をＯＮ（有効）状態またはＯＦＦ（無効）状態に設定する時間帯としてあらかじめ定めた切替時間帯に対する端末非帰属時間比率すなわち帰属していない状態が継続する時間の割合が、端末非帰属時間比率閾値として設定した「△％以上」になっているか否かを判定する。そして、「△％以上」以上という条件に該当する無線端末装置２００が検出された場合には、かかる条件に該当する無線端末装置２００を、前記切替時間帯においては、非帰属時間帯として、帰属しない状態に設定するという場合を示している。
【００３７】
なお、図３（Ａ）の登録例においては、無線通信ＯＦＦ制御条件として、学習対象レコード期間として本日から「過去○日分」という条件も設定されている。したがって、学習対象レコード期間として指定している本日から「過去○日分」の間連続して、帰属していない状態が継続する時間の割合が端末非帰属時間比率閾値として設定した「△％以上」になった状態が継続している時間帯を、非帰属時間帯として確定し、確定した非帰属時間帯の間は、かかる条件に該当する無線端末装置２００との間との無線通信をＯＦＦ（無効）状態に設定して、当該無線ＬＡＮアクセスポイント１００には帰属させない状態に強制的に設定することになる。
【００３８】
すなわち、無線通信ＯＦＦ制御条件テーブル２１を用いて、以下のように、無線通信のＯＮ／ＯＦＦ（有効／無効）を制御する。まず、学習対象の無線端末装置２００それぞれの動作状況を端末動作情報として収集して、学習対象端末動作情報格納テーブル２４に格納している端末動作情報のうち、学習対象レコード期間として設定されている期間の端末動作情報を対象にして、無線端末装置２００それぞれの端末動作に関する学習結果を取得する。
【００３９】
そして、取得した該学習結果が、該無線端末装置２００それぞれとの間の無線通信をＯＦＦ（無効）状態に設定する条件として無線通信ＯＦＦ制御条件テーブル２１にあらかじめ設定している無線通信ＯＦＦ制御条件を満たしている時間帯が存在する無線端末装置２００に関して、該時間帯を、非帰属状態に設定する非帰属時間帯として確定する。その結果、当該無線端末装置２００に関しては、確定した該非帰属時間帯の間、無線通信をＯＦＦ（無効）の状態に設定するように制御することになる。
【００４０】
次に、端末動作情報学習条件テーブル２２は、学習対象の無線端末装置２００から端末動作情報を収集する際の条件を学習条件としてあらかじめ設定登録するテーブルであり、図３（Ｂ）に示す記載例においては、項目欄２２ａと条件欄２２ｂとからなり、項目欄２２ａには、学習開始時刻と学習項目とがあらかじめ設定登録されている例を示している。
【００４１】
ここで、学習開始時刻は、端末動作学習部１２が学習対象の無線端末装置２００に関する端末動作情報の学習を開始する時刻を設定するものであり、例えば、条件欄２２ｂに示す記載例においては、学習対象の無線端末装置２００に関する端末動作情報の学習を開始する時刻が、日付が切り替わる「０時」と設定されていて、日付が変わる都度、学習用の端末動作情報を取得する場合を示している。
【００４２】
また、学習項目は、学習対象の無線端末装置２００に関する端末動作情報のうち学習用として収集する項目を設定するものであり、例えば、条件欄２２ｂに示す記載例においては、学習対象の無線端末装置２００の端末動作情報として、当該無線ＬＡＮアクセスポイント１００に帰属する帰属時刻と無線通信を切断する切断時刻とを学習用として収集する旨が設定されている場合を示している。
【００４３】
次に、学習対象端末リスト２３は、前述したように、学習対象とする無線端末装置２００を学習対象端末としてあらかじめ設定登録するテーブルであり、図３（Ｃ）に示す記載例においては、該学習対象端末を特定する情報として端末ＭＡＣアドレス（Media  Access  Control  Address）をＭＡＣアドレス欄２３ａに登録する場合を示している。
【００４４】
次に、学習対象端末動作情報格納テーブル２４は、前述したように、学習対象とする無線端末装置２００の端末動作情報を学習用として収集して、時系列的に順次格納するテーブルであり、図３（Ｄ）に示す記載例においては、ｉｄ欄２４ａとＭＡＣアドレス欄２４ｂと帰属時刻欄２４ｃと切断時刻欄２４ｄとからなっている。
【００４５】
ここで、ｉｄ欄２４ａには、無線端末装置２００が無線ＬＡＮアクセスポイント１００から切り離されて非帰属状態になる都度、順番に登録していくための番号が設定される例を示している。ＭＡＣアドレス欄２４ｂには、無線ＬＡＮアクセスポイント１００に帰属した無線端末装置２００を特定する端末ＭＡＣアドレスが格納される。また、帰属時刻欄２４ｃには、該無線端末装置２００が帰属した時刻すなわち無線ＬＡＮアクセスポイント１００との間の無線通信を開始した時刻が格納され、切断時刻欄２４ｄには、該無線端末装置２００が無線ＬＡＮアクセスポイント１００との間の無線通信を切断した時刻が格納される。
【００４６】
（実施形態の動作の説明）
次に、本発明の一実施形態として図１〜図３に示した無線ＬＡＮアクセスポイント１００の動作について、その一例を、図面を参照しながら詳細に説明する。まず、図４のシーケンスチャートを参照して、学習対象の無線端末装置２００が無線ＬＡＮアクセスポイント１００に帰属して切断するまでの該無線端末装置２００の端末動作に関する情報を、該無線ＬＡＮアクセスポイント１００において収集して、学習対象端末動作情報格納テーブル２４に格納する動作について、その一例を説明する。
【００４７】
図４は、図１〜図３に示した無線ＬＡＮアクセスポイント１００において無線端末装置２００に関する端末動作情報を収集する動作の一例を説明するためのシーケンスチャートである。つまり、学習対象の無線端末装置２００が無線ＬＡＮアクセスポイント１００に帰属して切断に至るまでの端末動作情報のうち、学習項目として指定されている情報を学習対象端末動作情報格納テーブル２４に格納する動作の一例を説明している。なお、本実施形態においては、図３（Ｂ）に示したように、端末動作情報学習条件テーブル２２の学習項目として、学習対象の無線端末装置２００の端末動作情報に関して帰属時刻と切断時刻とに関する情報を収集する旨が登録されている場合を示している。
【００４８】
図４のシーケンスチャートにおいて、まず、無線端末装置２００が該無線ＬＡＮアクセスポイント１００に帰属したことを、該無線ＬＡＮアクセスポイント１００の無線通信部１１において検知すると（シーケンスＳｅｑ１）、無線通信部１１は、該無線端末装置２００に関する端末動作情報（帰属時刻）の収集依頼を、端末動作情報収集部１３に対して出力する（シーケンスＳｅｑ２）。
【００４９】
端末動作情報収集部１３は、無線通信部１１から端末動作情報（帰属時刻）の収集依頼を受け取ると、メモリ２０内の学習対象端末リスト２３にアクセスして、学習対象端末のリストを入手し（シーケンスＳｅｑ３）、帰属した該無線端末装置２００が、無線ＬＡＮアクセスポイント１００の学習対象として登録されている無線端末装置であるか否かを確認する（シーケンスＳｅｑ４）。
【００５０】
確認結果として、帰属した該無線端末装置２００が学習対象の無線端末装置であることを確認した場合、端末動作情報収集部１３は、該無線端末装置２００が当該無線ＬＡＮアクセスポイント１００に帰属した帰属時刻の情報を、該無線端末装置２００を特定する端末ＭＡＣアドレスの情報とともに、当該モジュール内（すなわち当該端末動作情報収集部１３内の作業領域）に一旦保持する（シーケンスＳｅｑ５）。
【００５１】
しかる後、帰属していた無線端末装置２００が当該無線ＬＡＮアクセスポイント１００との間の無線通信を切断したことを、当該無線ＬＡＮアクセスポイント１００の無線通信部１１において検知すると（シーケンスＳｅｑ６）、無線通信部１１は、該無線端末装置２００に関する端末動作情報（切断時刻）の収集依頼を、端末動作情報収集部１３に対して出力する（シーケンスＳｅｑ７）。
【００５２】
端末動作情報収集部１３は、無線通信部１１から端末動作情報（切断時刻）の収集依頼を受け取ると、シーケンスＳｅｑ３において入手済みの学習対象端末のリストを参照して、切断した該無線端末装置２００が、無線ＬＡＮアクセスポイント１００の学習対象として登録されている無線端末装置であるか否かを確認する（シーケンスＳｅｑ８）。
【００５３】
確認結果として、切断した該無線端末装置２００が学習対象の無線端末装置であることを確認した場合、端末動作情報収集部１３は、無線端末装置２００が当該無線ＬＡＮアクセスポイント１００との無線通信を切断した切断時刻を取得し、取得した切断時刻に関する情報を、シーケンスＳｅｑ５において当該モジュール内に一旦保持していた該無線端末装置の帰属時刻と端末ＭＡＣアドレスとに関する情報とセットにして、当該無線端末装置２００に関する端末動作情報として、メモリ２０内の学習対象端末動作情報格納テーブル２４に登録する（シーケンスＳｅｑ９）。
【００５４】
次に、図５のシーケンスチャートを参照して、無線ＬＡＮアクセスポイント１００の端末動作学習部１２が、学習対象端末動作情報格納テーブル２４に登録した学習対象の無線端末装置２００に関する端末動作情報から、当該無線端末装置２００に関する学習結果を導出するまでの動作について、その一例を説明する。
【００５５】
図５は、図１〜図３に示した無線ＬＡＮアクセスポイント１００において学習対象の無線端末装置２００の動作に関する学習結果を導出する動作の一例を説明するためのシーケンスチャートである。つまり、無線ＬＡＮアクセスポイント１００の端末動作学習部１２が、学習対象の無線端末装置２００に関する端末動作情報として学習対象端末動作情報格納テーブル２４に登録した登録内容に基づいて、該無線端末装置２００の端末動作に関する学習結果を導出する動作の一例を説明している。
【００５６】
図５のシーケンスチャートにおいて、まず、無線ＬＡＮアクセスポイント１００の端末動作学習部１２は、現在日時を確認して日付が変わったことを確認すると（シーケンスＳｅｑ２１）、メモリ２０内の端末動作情報学習条件テーブル２２を参照して、学習対象の無線端末装置２００の端末動作に関する学習条件を取得する（シーケンスＳｅｑ２２）。
【００５７】
そして、端末動作学習部１２は、学習対象の無線端末装置２００の端末動作情報として取得すべき学習項目が、図３（Ｂ）の登録例においては、当該無線ＬＡＮアクセスポイント１００との帰属時刻と切断時刻とに関する情報であることを把握するとともに、端末動作情報学習条件テーブル２２の項目欄２２ａの「学習開始時刻」に関する条件欄２２ｂに設定されている時刻（図３（Ｂ）の登録例の場合は「０時」）に達するまで待機する(ステップＳ２３)。
【００５８】
端末動作情報学習条件テーブル２２の条件欄２２ｂに設定されている学習開始時刻に達すると、端末動作学習部１２は、メモリ２０内の無線通信ＯＦＦ制御条件テーブル２１にアクセスして、学習対象の無線端末装置２００との間の無線通信ＯＦＦ（無効）に設定する条件（すなわち無線通信ＯＦＦ制御条件）を取得する(シーケンスＳｅｑ２４)。さらに、端末動作学習部１２は、メモリ２０内の学習対象端末動作情報格納テーブル２４にアクセスして、学習対象の無線端末装置２００それぞれに関する端末動作情報（帰属時刻・切断時刻）を取得する（シーケンスＳｅｑ２５）。
【００５９】
しかる後、端末動作学習部１２は、取得した学習対象の無線端末装置２００それぞれに関する端末動作情報のうち、取得した前記無線通信ＯＦＦ制御条件としてあらかじめ設定されている条件を満たす無線端末装置２００が存在しているか否かを確認する。前記無線通信ＯＦＦ制御条件を満たす学習対象の無線端末装置２００が存在していた場合には、当該無線端末装置２００との間の無線通信をＯＦＦ（無効）状態に設定する時間帯を確定する（シーケンスＳｅｑ２６）。
【００６０】
ここで、学習結果として、前記無線通信ＯＦＦ制御条件を満たす無線端末装置２００との間の無線通信をＯＦＦ（無効）状態に設定する時間帯を確定するという導出動作の一例についてさらに具体的に説明する。
【００６１】
例えば、まず、図３（Ａ）に示す条件欄２１ｂに前記無線通信ＯＦＦ制御条件としてあらかじめ設定されている学習対象レコード期間を基にして、取得した学習対象の無線端末装置２００に関する端末動作情報の中から、該当する期間内における学習対象の無線端末装置２００それぞれに関する端末動作情報（帰属時刻・切断時刻）を抽出する。次に、学習対象の無線端末装置２００それぞれに関し、抽出した該端末動作情報（帰属時刻・切断時刻）を基にして、学習対象レコード期間として指定された期間の１日ごとに、無線ＬＡＮアクセスポイント１００に帰属していない状態になっている時間（端末非帰属時間）を算出する。
【００６２】
しかる後、学習対象レコード期間の１日ごとに算出した該端末非帰属時間それぞれが、学習結果に基づき無線通信をＯＮ（有効）状態またはＯＦＦ（無効）状態に設定する時間帯としてあらかじめ定めた切替時間帯の時間幅に対して占める割合すなわち帰属していない状態が継続する時間の該切替時間帯の時間幅に対する割合（端末非帰属時間比率）を算出する。
【００６３】
そして、算出した該端末非帰属時間比率が、学習対象レコード期間として指定されている期間の間連続して、図３（Ａ）の条件欄２１ｂに無線通信ＯＦＦ制御条件としてあらかじめ設定されている端末非帰属時間比率閾値以上（「△％以上」）になっている前記切替時間帯が存在しているか否かを確認する。
【００６４】
確認結果として、算出した該非帰属時間比率が、学習対象レコード期間として指定されている期間の間連続して、端末非帰属時間比率閾値以上になっている前記切替時間帯が存在していた場合には、該切替時間帯を、“該当する無線端末装置２００との間の無線通信をＯＦＦ（無効）状態に設定する時間帯（非帰属時間帯）”として確定する。
【００６５】
次に、図６のシーケンスチャートを参照して、無線ＬＡＮアクセスポイント１００の端末動作学習部１２が導出した無線端末装置２００に関する学習結果を無線通信部１１に反映して、無線通信のＯＮ／ＯＦＦ（有効／無効）を制御する動作について、その一例を説明する。
【００６６】
図６は、図１〜図３に示した無線ＬＡＮアクセスポイント１００において学習対象の無線端末装置２００との間の無線通信のＯＮ／ＯＦＦ（有効／無効）を制御する動作の一例を説明するためのシーケンスチャートである。つまり、図５のシーケンスチャートにおいて無線ＬＡＮアクセスポイント１００の端末動作学習部１２が導出した無線端末装置２００に関する学習結果を基にして、無線通信部１１における無線通信のＯＮ／ＯＦＦ（有効／無効）を制御する動作の一例を説明している。
【００６７】
図６のシーケンスチャートにおいて、まず、無線ＬＡＮアクセスポイント１００の端末動作学習部１２は、図５のシーケンスチャートのシーケンスＳｅｑ２６において学習結果に基づいて確定した“該当する無線端末装置２００との間の無線通信をＯＦＦ（無効）状態に設定する時間帯（非帰属時間帯）”の開始時刻に、現在の時刻が達したことを確認すると（シーケンスＳｅｑ３１）、無線通信部１１に対して、当該無線端末装置２００との間の無線通信をＯＦＦ（無効）状態に設定することを依頼する（シーケンスＳｅｑ３２）。
【００６８】
無線通信部１１は、端末動作学習部１２から依頼があった無線端末装置２００との間の無線通信をＯＦＦ（無効）の状態に強制的に設定する。その結果、以降において、当該無線端末装置２００が無線ＬＡＮアクセスポイント１００との帰属を試みても、帰属に失敗し、当該無線端末装置２００は無線ＬＡＮアクセスポイント１００との間で無線通信を行うことができなくなる（シーケンスＳｅｑ３３）。
【００６９】
しかる後、端末動作学習部１２は、 “該当する無線端末装置２００との間の無線通信をＯＦＦ（無効）状態に設定する時間帯（非帰属時間帯）”の終了時刻に、現在の時刻が達したことを確認すると（シーケンスＳｅｑ３４）、無線通信部１１に対して、当該無線端末装置２００との間の無線通信をＯＮ（有効）状態に設定することを依頼する（シーケンスＳｅｑ３５）。
【００７０】
無線通信部１１は、端末動作学習部１２から依頼があった無線端末装置２００との間の無線通信をＯＮ（有効）の状態に設定する。その結果、以降において、当該無線端末装置２００が無線ＬＡＮアクセスポイント１００との帰属を試みると、帰属に成功し、当該無線端末装置２００は無線ＬＡＮアクセスポイント１００との間で無線通信を行うことが可能になる（シーケンスＳｅｑ３６）。
【００７１】
（実施形態の効果の説明）
以上に詳細に説明したように、本実施形態においては、無線ＬＡＮアクセスポイント１００において、学習対象としてあらかじめ登録している無線端末装置２００それぞれの端末動作状況を収集した結果から該無線端末装置２００それぞれの端末動作に関する学習結果を取得する。そして、取得した該学習結果に基づいて、該無線端末装置２００それぞれとの間の無線通信をＯＦＦ（無効）状態に設定する時間帯を非帰属時間帯として確定する。そして、確定した該非帰属時間帯の間、該当する無線端末装置２００それぞれとの間の無線通信をＯＦＦ（無効）状態に設定するように制御している。而して、次のような効果が得られる。
【００７２】
学習対象の無線端末装置２００それぞれの端末動作情報に関する学習結果に基づいて、無線ＬＡＮアクセスポイント１００の省力化を、自動的にかつ効果的に確実に実施することができるという効果が得られる。つまり、無線端末装置２００それぞれのユーザの生活スタイルを考慮した形で、無線ＬＡＮアクセスポイント１００の省力化を自動的にかつ効果的に実現することができる。
【００７３】
（本発明の他の実施形態）
次に、本発明の前述の実施形態とは異なる実施形態について、図７〜図９を参照しながら説明する。前述した実施形態においては、学習結果に基づいて、該当する無線端末装置２００に関して、無線ＬＡＮアクセスポイント１００の無線通信部１１が、非帰属時間帯の間、無線通信をＯＦＦ（無効）状態に強制的に設定する場合の動作例について説明した。
【００７４】
しかし、学習結果として一旦無線通信をＯＦＦ（無効）状態に設定した無線端末装置２００のユーザが、以降において、該学習結果とは異なる行動を行おうとして、無線通信を再開したいと思っても、該学習結果に基づいて、“該当する無線端末装置２００との間の無線通信をＯＦＦ（無効）状態に設定する時間帯（非帰属時間帯）”として確定している時間帯の間は、無線ＬＡＮアクセスポイント１００に再度帰属させることができない。
【００７５】
かかる事態に対応するためには、該当する無線端末装置２００に関する今までの学習結果を取り消して、該学習結果として設定されている非帰属時間帯（すなわち無線通信ＯＦＦ時間帯）を強制的に解消することが必要である。そして、その結果として、該無線端末装置２００の無線通信（すなわち無線ＬＡＮアクセスポイント１００への帰属）を可能にするとともに、該無線端末装置２００に関する端末動作情報を再学習することを可能にする仕組みを有することが必要である。本他の実施形態においては、かかる仕組みを実現する一例について、以下に図面を参照しながら詳細に説明する。
【００７６】
まず、図７は、本発明に係る無線ＬＡＮアクセスポイントと該無線ＬＡＮアクセスポイントに無線子機端末として帰属する無線端末装置との機能概要の図１とは異なる例を説明するための概念図である。
【００７７】
本他の実施形態における無線ＬＡＮアクセスポイント１００Ａは、該当する無線端末装置２００に関して、学習した学習結果を取り消して、学習結果に基づいて現在まで設定されている無線通信のＯＦＦ（無効）状態をＯＮ（有効）状態に切り替えさせるための専用ボタンを搭載している。
【００７８】
そして、図７に示すように、無線ＬＡＮアクセスポイント１００Ａのオペレータによる該専用ボタンのボタン操作により、学習対象の無線端末装置２００の端末動作情報として今まで登録されていた学習結果を取り消して、当該無線端末装置２００の帰属を可能にする状態に設定する学習結果削除機能１０３を、図１に示した無線ＬＡＮアクセスポイント１００に対して、さらに追加して有している。
【００７９】
また、無線ＬＡＮアクセスポイント１００Ａのオペレータ３００には、学習結果に基づいて無線通信がＯＦＦ（無効）になっている状態において、無線ＬＡＮアクセスポイント１００Ａの該専用ボタンを押下する操作が可能な専用ボタン操作機能３０１を付与している。なお、該専用ボタンを操作する無線ＬＡＮアクセスポイント１００Ａのオペレータは、学習結果を取り消そうとしている学習対象の無線端末装置２００のユーザ（利用者）であっても構わない。また、無線端末装置２００に関しては、図７においても、図１に示した無線端末装置２００と全く同様の機能である。なお、学習結果のリセット用の専用ボタンに関しては、ハードウェアとして設置するボタンに限るものではなく、無線ＬＡＮアクセスポイント１００Ａの液晶ディスプレイ上に画面表示するソフトウェア的なボタンであっても差支えない。
【００８０】
次に、図８は、本発明の他の実施形態として図７に示した無線ＬＡＮアクセスポイント１００Ａの内部構成の一例を示すブロック構成図であり、本発明の他の実施形態に関連する主要部の一例を示している。
【００８１】
図８に示すように、無線ＬＡＮアクセスポイント１００Ａの制御部１０Ａには、無線ＬＡＮアクセスポイント１００Ａのオペレータ３００が無線ＬＡＮアクセスポイント１００Ａの専用ボタンを押下操作することにより該当する無線端末装置２００の学習結果を取り消して無線通信をＯＮ（有効）に設定する機能を有する専用ボタン制御部１４を、図１に示した無線ＬＡＮアクセスポイント１００の制御部１０に対して、さらに追加して有している。
【００８２】
また、端末動作学習部１２Ａは、図７に示した学習結果削除機能１０３として、専用ボタン制御部１４から専用ボタン押下操作を示すイベントの通知を受け取った際に、今までの学習結果を削除する機能を、図２に示した無線ＬＡＮアクセスポイント１００の端末動作学習部１２に対して、さらに追加して有している。なお、無線ＬＡＮアクセスポイント１００Ａのメモリ２０内の構成に関しては、図８においても、図２に示した無線ＬＡＮアクセスポイント１００のメモリ２０と全く同様である。
【００８３】
次に、本発明の他の実施形態として図７、図８に示した無線ＬＡＮアクセスポイント１００Ａの動作について、オペレータ３００による専用ボタンの押下操作により、該当する無線端末装置２００に関し、今までの学習結果を削除して、無線通信をＯＮ（有効）の状態に設定する動作に焦点を当てて、その一例を、図９のシーケンスチャートを参照しながら詳細に説明する。
【００８４】
図９は、図７、図８に示した無線ＬＡＮアクセスポイント１００Ａにおいて学習対象の無線端末装置２００の無線通信をＯＦＦ（無効）状態からＯＮ（有効）状態に復帰させる動作の一例を説明するためのシーケンスチャートである。つまり、先の実施形態として図６に示したシーケンスチャートのシーケンスＳｅｑ３２において、端末動作学習部１２（図９においては端末動作学習部１２Ａに相当する）からの依頼に応じて、無線通信部１１が、該当する無線端末装置２００との間の無線通信をＯＦＦ（無効）の状態に強制的に設定した以降の動作例を示している。
【００８５】
さらに言うと、図９に示すシーケンスチャートにおいては、学習結果に基づいて無線端末装置２００との無線通信がＯＦＦ（無効）状態になっている際に、オペレータ３００による専用ボタンの操作によって、該無線端末装置２００との無線通信をＯＮ（有効）状態に切り替えるとともに、今までの学習結果をリセットして、再学習を実施する状態に復帰させる動作の一例を示している。
【００８６】
図９のシーケンスチャートにおいて、無線通信部１１は、シーケンスＳｅｑ３２における端末動作学習部１２Ａからの依頼に応じて、該当する無線端末装置２００との間の無線通信をＯＦＦ（無効）の状態に強制的に設定すると、図６にシーケンスチャートの場合と同様に、以降において、当該無線端末装置２００が無線ＬＡＮアクセスポイント１００Ａとの帰属を試みても、帰属に失敗し、当該無線端末装置２００が無線ＬＡＮアクセスポイント１００Ａに帰属することができなくなる（シーケンスＳｅｑ３３）。
【００８７】
ここで、ＯＦＦ（無効）状態に設定された後においては、前述した図１〜図６に示した実施形態の場合には、端末動作学習部１２が、“該当する無線端末装置２００との間の無線通信をＯＦＦ（無効）に設定する時間帯（非帰属時間帯）”が終了する時刻に達するまでの間は、当該無線端末装置２００は無線ＬＡＮアクセスポイント１００に帰属することができない状態が継続する。
【００８８】
これに対して、図９のシーケンスチャートにおいては、かかる無線端末装置２００の無線通信ＯＦＦ（無効）状態の時間帯（非帰属時間帯）において、無線ＬＡＮアクセスポイント１００Ａのオペレータ３００が、当該無線ＬＡＮアクセスポイント１００Ａに学習結果リセット用のボタンとして搭載されている専用ボタンを押下するボタン操作を行うと（シーケンスＳｅｑ４１）、制御部１０Ａの専用ボタン制御部１４は、該専用ボタンの押下操作を検出する。
【００８９】
専用ボタン制御部１４は、専用ボタンの押下操作を検出すると、専用ボタンの押下操作がなされた旨を示すイベントを、端末動作学習部１２Ａに対して通知する（シーケンスＳｅｑ４２）。端末動作学習部１２Ａは、該イベントの通知を受け取ると、該当する無線端末装置２００の端末動作情報に関する今までの学習結果をリセットして削除する（シーケンスＳｅｑ４３）。
【００９０】
そして、端末動作学習部１２Ａは、学習結果として設定した“該当する無線端末装置２００との間の無線通信をＯＦＦ（無効）に設定する時間帯（非帰属時間帯）”がまだ終了していない状態であっても、当該無線端末装置２００の無線通信のＯＦＦ（無効）状態をＯＮ（有効）状態に切り替えて設定することを、無線通信部１１に対して依頼する（シーケンスＳｅｑ４４）。
【００９１】
無線通信部１１は、端末動作学習部１２Ａからの依頼に応じて、該当する無線端末装置２００との間の無線通信をＯＦＦ（無効）状態からＯＮ（有効）状態に強制的に切り替える。その結果、以降においては、当該無線端末装置２００が無線ＬＡＮアクセスポイント１００Ａとの帰属を試みると、帰属に成功し、当該無線端末装置２００は無線ＬＡＮアクセスポイント１００Ａとの間で無線通信を行うことが可能になる（シーケンスＳｅｑ４５）。
【００９２】
なお、学習結果のリセット用の専用ボタンに関しては、前述したように、ハードウェアとして設置するボタンに限るものではなく、無線ＬＡＮアクセスポイント１００Ａの液晶ディスプレイ上に画面表示するソフトウェア的なボタンであっても差し支えない。さらに、例えば、無線ＬＡＮアクセスポイント１００Ａの液晶ディスプレイ上には、ＯＦＦ（無効）状態に設定されている無線端末装置２００についても画面表示することとし、画面表示している無線端末装置２００の中からリセットしたい無線端末装置２００を選択して、リセット用の専用ボタンを押す操作するようにしても良い。ここで、該リセット用の専用ボタンは、液晶ディスプレイ上に画面表示されるボタンであっても良いし、ハードウェアとして設置しているボタンであっても良い。
【００９３】
さらに、無線ＬＡＮアクセスポイント１００Ａに対して学習結果のリセットを要求する通信（無線迂回通信または有線通信）を行う機能を無線端末装置２００側に付与するようにしても良い。そして、無線ＬＡＮアクセスポイント１００Ａは、無線端末装置２００側からの通信としてリセット要求を受け取った場合には、当該無線端末装置２００に関する学習結果をリセットするように動作する。
【００９４】
以上のように、図７〜図９に示した本他の実施形態においては、無線ＬＡＮアクセスポイント１００Ａに学習結果リセット用のボタンとして搭載されている専用ボタンのボタン操作を行うことによって、無線ＬＡＮアクセスポイント１００Ａは、該当する無線端末装置２００との間の無線通信を有効化し、かつ、当該無線端末装置２００に関する今までの学習結果をリセットすることを可能にしている。
【００９５】
したがって、該当する無線端末装置２００が、今までの学習結果から無線通信がＯＦＦ（無効）状態に設定されている時間帯（非帰属時間帯）であっても、オペレータ３００のボタン操作により、無線通信をＯＮ（有効）な状態に設定した上で、今までの学習結果を削除して、該無線端末装置２００の端末動作情報に関する再学習を行うことができる。
【００９６】
つまり、該当する無線端末装置２００の無線通信がＯＮ（有効）になった以降においては、無線ＬＡＮアクセスポイント１００Ａに帰属した該無線端末装置２００の端末動作情報は、前述した実施形態における図４のシーケンスチャートと全く同様の動作によって、再学習用として、学習対象端末動作情報格納テーブル２４に反映される。
【００９７】
また、図９のシーケンスチャートのシーケンスＳｅｑ４３において一旦リセット（削除）された状態にある学習結果は、前述した実施形態における図５のシーケンスチャートと全く同様の動作によって、当該無線端末装置２００の端末動作情報が学習対象端末動作情報格納テーブル２４に反映された翌日以降において、再学習結果として、再度構築されることになる。
【００９８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００９９】
１０        制御部
１０Ａ      制御部
１１        無線通信部
１２        端末動作学習部
１２Ａ      端末動作学習部
１３        端末動作情報収集部
１４        専用ボタン制御部
２０        メモリ
２１        無線通信ＯＦＦ制御条件テーブル
２１ａ      項目欄
２１ｂ      条件欄
２２        端末動作情報学習条件テーブル
２２ａ      項目欄
２２ｂ      条件欄
２３        学習対象端末リスト
２３ａ      ＭＡＣアドレス欄
２４        学習対象端末動作情報格納テーブル
２４ａ      ｉｄ欄
２４ｂ      ＭＡＣアドレス欄
２４ｃ      帰属時刻欄
２４ｄ      切断時刻欄
１００      無線ＬＡＮアクセスポイント
１００Ａ    無線ＬＡＮアクセスポイント
１０１      無線通信機能
１０２      無線通信制御機能
１０３      学習結果削除機能
２００      無線端末装置
２０１      帰属機能
２０２      無線通信機能
３００      オペレータ
３０１      専用ボタン操作機能
【図１】
2020136846.tif 000003
【図２】
2020136846.tif 000004
【図３】
2020136846.tif 000005
【図４】
2020136846.tif 000006
【図５】
2020136846.tif 000007
【図６】
2020136846.tif 000008
【図７】
2020136846.tif 000009
【図８】
2020136846.tif 000010
【図９】
2020136846.tif 000011